(57)【要約】【課題】化粧品容器内の残量を品質への影響を最小限にして確認できるようにする。【解決手段】遮光部材１２Ａを有する筒状壁部材１０で構成された壁部の一部に、上下方向に細長く形成された透視窓２Ｆを設けたことにより、ユーザが吐出操作部４Ｄを操作するごとに、化粧品料３の残量を、化粧品料３の品質に対する影響を最小限にしながら、確認できる、化粧品容器１を実現できる。【選択図】図１
2013013657.tif 000002
【特許請求の範囲】
【請求項１】
筒状壁部材で囲まれた内部に化粧品料を保持する容器本体と、
基台部を、上記容器本体の上方開口に嵌め合せると共に、吐出操作部が操作されるごとに、１回使用分の上記化粧品料を吐出口から吐出した後、下方に突出する吸入手段によって上記容器本体から吸い上げるポンプ部と
を具備し、
上記容器本体の上記筒状壁部材は、遮光部材で構成された壁部の一部に、上下方向に細長く形成された透視窓を有し、
ユーザが上記吐出操作部を操作するごとに、上記透視窓を介して上記容器本体内における上記化粧品料の残量を確認できるようにした
ことを特徴とする化粧品容器。
【請求項２】
上記容器本体の上記筒状壁部材は、上記遮光部材の一部に上記透視部材を配設してなる多層色転写箔の内側に、プラスチック透明筒体を一体化した構成を有する
ことを特徴とする請求項１に記載の化粧品容器。
【請求項３】
上記容器本体の上記筒状壁部材は、射出成型により形成したプラスチック透明筒体の外側に、上記遮光部材の一部に上記透視部材を配設してなる多層色転写箔を、熱転写加工により一体化した構成を有する
ことを特徴とする請求項２に記載の化粧品容器。
【請求項４】
上記容器本体の上記筒状壁部材は、上記遮光部材の一部に、上記透視部材を配設してなる多層色転写箔の内側に、プラスチック透明筒体をインサート成型することにより一体化した構成を有する
ことを特徴とする請求項２に記載の化粧品容器。
【発明の詳細な説明】
【技術分野】
【０００１】
本発明は化粧品容器に関し、特に品質の劣化を抑えながら化粧品料の残量を提示できるようにしたものである。
【背景技術】
【０００２】
化粧品容器としては、気密性や遮光性を保持することが要求される化粧品料を、品質の劣化を回避しながら保存できるようにしたものが提案されている（特許文献１参照）。
【先行技術文献】
【特許文献】
【０００３】
【特許文献１】特開２００８−１１０７９０公報
【発明の概要】
【発明が解決しようとする課題】
【０００４】
従来用いられているこの種の化粧品容器は、基本的に、容器全体を気密性及び遮光性を維持できる材料でとり囲むことを原理としているから、ユーザが化粧品容器内の化粧品料の残量を、常時、目視確認できるようになっていないために、取扱いが不便な問題がある。
【０００５】
本発明は以上の点を考慮してなされたもので、保持している化粧品料の残量を必要に応じて簡便に確認できるようにした化粧品容器を提案しようとするものである。
【課題を解決するための手段】
【０００６】
かかる課題を解決するため本発明においては、化粧品料を、上方開口から入れて、筒状壁部材で囲まれた、内部に化粧品料を保持する容器本体と、基台部を、容器本体の上方開口に嵌め合せると共に、吐出操作部が操作されるごとに、１回使用分の化粧品料を吐出口から吐出した後、下方に突出する吸入手段によって容器本体から吸い上げるポンプ部とを用意し、容器本体の筒状壁部材に、遮光部材で構成された壁部の一部に、上下方向に、細長く形成された透視窓を設け、かくして、ユーザが吐出操作部を操作するごとに、透視窓を介して、容器本体内における化粧品料の残量を確認できるようにする。
【発明の効果】
【０００７】
本発明によれば、遮光部材で構成された筒状壁部材で構成された壁部の一部に、上下方向に、透視部材で細長く形成された目視窓を設けたことにより、ユーザが吐出操作部を操作するごとに、化粧品料の残量を、化粧品料の品質に対する影響を最小限にしながら、確認できる化粧品容器を実現できる。
【図面の簡単な説明】
【０００８】
【図１】本発明による第１の実施の形態の化粧品容器を示す分解斜視図である。
【図２】図１の容器本体２の壁部材の構成を示す略線的断面図である。
【図３】第２の実施の形態を示す分解斜視図である。
【図４】図３の容器本体の壁部材の構成を示す略線的断面図である。
【発明を実施するための形態】
【０００９】
以下図面について、本発明の一実施の形態を詳述する。
【００１０】
図１において、１は全体として化粧品容器を示し、容器本体２の内部に保持されている化粧品料３から、ポンプ部４が、１回使用分の化粧品料３を、一定量ずつ吸い上げて、吐出口４Ａから吐出するようになされている。
【００１１】
この実施の形態の場合、容器本体２は、円筒状壁部材１０を有し、その上方開口２Ａにポンプ部４の円筒状基台部４Ｂを密封するように嵌め込むことにより、ポンプ部４は、基台部４Ｂから下方に突出している吸入口４Ｃから化粧品料３を吸入する。
【００１２】
ポンプ部４は、吐出口４Ａが設けられている吐出操作部４Ｄがユーザの上方からの押圧操作によって基台部４Ｂに押し込まれたとき、それまでに基台部４Ｂの内部に吸入保持されていた化粧品料３のうち吐出操作部４Ｄの基台部４Ｂへの押込量に応じた化粧品料を吐出口４Ａから吐出する。
【００１３】
これと共に、当該吐出操作部４Ｄへの押込動作がなくなったとき、基台部４Ｂの内部に設けられた復帰部材によって吐出操作部４Ｄを元の位置に戻す動作をさせることによって、吸入口４Ｃから容器本体２に保持されている化粧品料３を、吐出口４Ａから吐出された液量だけ、基台部４Ｂ内に吸入することにより、基台部４Ｂに吸入手段が設けられている。
【００１４】
容器本体２の円筒状内部空間には、円板状の摺動底板部２Ｂが設けられている。
【００１５】
この摺動底板部２Ｂは、図２に示すように、その外周部に設けられた密封摺動部材２Ｃが容器本体２の内周面２Ｄに気密性を保ちながら上方に摺動できるように挿入されており、これにより容器本体２の上方開口２Ａに密封するように嵌め込まれたポンプ部４が、吸入口４Ｃを介して、化粧品料３を１回の使用量だけ吸入動作をしたとき、吸入された分容器本体２内の圧力が低下することにより当該吸入された分だけ摺動底板部２Ｂが、円筒状壁部材１０を下方から閉塞する底板部材２Ｅ（空気抜きを有する）から、矢印ａで示すように、上方に摺動するようになされている。
【００１６】
かくして摺動底板部２Ｂは、ポンプ部４の吐出操作部４Ｄがユーザによって操作されるごとに、吐出口４Ａからの化粧品料３の吐出量に対応する高さだけ上方に摺動して行く。
【００１７】
容器本体２の周面部を形成する円筒状壁部材１０（図２）は、プラスチック透明箔筒体部１１の外周面に遮光材でなる多層色転写箔１２を熱転写加工することにより一体化した構成を有する。
【００１８】
ここで、多層色転写箔１２は、熱転写作用をもつベースフィルム（ポリエステル）に、金属蒸着層（遮光作用をもつ）、顔料層、染料層を含むコーティング層を付着させた構成を有する。
【００１９】
この実施の形態の場合、多層色転写箔１２は、円筒形状に成形された遮光部材１２Ａの一部に、細長く上下方向に延長する透視部材１２Ｂでなる透視窓２Ｆが形成されている。
【００２０】
この実施の形態の場合、透視窓２Ｆは、幅狭で、かつ摺動底板部２Ｂが、底板部材２Ｅに当接した状態から吸入口４Ｃの下端に当接する状態になるまで吸い上げられて行くとき、当該摺動底板部２Ｂの厚さ部分の横側面の像が、透視窓２Ｆ内を横方向に横切った状態で、下方から上方に移動して行くように、ユーザが外から目視確認できるように構成されている。
【００２１】
この透視窓２Ｆには、その外表面に目盛２Ｇが描かれており、容器本体２内の化粧品料３の残量を表すように、最上方の「０」目盛から、最下方の目盛「３０」（０〔ｃｃ〕〜３０〔ｃｃ〕を意味する）まで、次第に大きくなる数値表示が付されている。
【００２２】
以上の構成において、化粧品容器１の使用開始前においては、容器本体２の内部には、満杯の化粧品料３が入れられており、この状態でポンプ部４の基台部４Ｂが容器本体２の上方開口２Ａを密封するように嵌め込まれている。
【００２３】
これと共に、摺動底板部２Ｂは、容器本体２の内面に外周面を摺動可能に密接した状態において、容器本体２の底板部材２Ｅに当接した状態で保持されている。
【００２４】
化粧品容器１の使用時、ユーザはキャップ５を基台部４Ｂから取り外してポンプ部４の吐出操作部４Ｄを上方から押し込む。
【００２５】
ポンプ部４は、当該吐出操作部４Ｄの押込み操作に応じて、内部に保有している化粧品料３を１回の使用量だけ吐出口４Ａから吐出する。
【００２６】
その後ユーザが吐出操作部４Ｄに対する押込操作力を解除して、原位置復帰手段従って吐出操作部４Ｄが元の位置に戻ったとき、容器本体２の化粧品料３の液中に浸っている吸入口４Ｃが吐出した化粧品料３と同じ量だけポンプ部４に吸入する。
【００２７】
このとき、摺動底板部２Ｂが容器本体２の内周面に対して密封状態を保持して摺接しながら、図２において矢印ａで示すように、上方に引き上げられて行く。
【００２８】
この摺動底板部２Ｂの容器本体２の内周面２Ｄとの摺接像は、当該化粧品料３の吐出ごとに、透視窓２Ｆを下から上へ移動して行くので、摺動底板部２Ｄの例えば上面（化粧品料３が満たされている側）の像の、目盛２Ｇの位置によって、化粧品料３の残量を、ユーザが透視窓２Ｆの外側から目視確認することができる。
【００２９】
以上の構成によれば、ユーザはポンプ部４の吐出操作部４Ｄを操作するごとに容器本体２内の化粧品料３の残量の変化を、使用中の変化として目視確認することができる。
【００３０】
このような効果を得るにつき、ポンプ部４が１回の使用量だけ化粧品料３を吐出口４Ａから吐出させる際に、残った化粧品料３を空気に触れさせることはないので、空気酸化による化粧品料の劣化を防止し得る。
【００３１】
これと共に、ユーザが透視窓２Ｆによって化粧品料３の残量を確認するにつき、容器本体２の外周面全体に押し加工された遮光部材１２Ａの面積に比して、透視部材１２Ｂでなる透視窓２Ｆの面積を極く小さい値に制限するように、透視窓２Ｆを細長に形成したことにより、当該透視窓２Ｆを介して内部に透過する光の量を小さい値に抑制でき、これにより、透過した光による化粧品料３の影響を実質上無視できる程度に抑制することができる。
【００３２】
この実施の形態の場合、透視窓２Ｆの横幅は、ユーザが化粧品料３の残量を外側から目視確認できると共に、当該透視窓２Ｆを透過した光による化粧品料３への影響を実質上無視できる程度を考慮して、５〜１〔ｍｍ〕に選定されている。
【００３３】
化粧品需要者は、化粧品容器を収容されている化粧品料を外側から目視できないような遮光容器で構成した場合には、当該化粧品容器は十分な変質防護策が施されているとして高い価値感をもつ。
【００３４】
上述の実施の形態によれば、ユーザに対してこのような価値感を損なうことなく、透視窓２Ｆにより、残量の確認を簡便になし得る。
【００３５】
（２）第２の実施の形態
図３は第２の実施の形態を示すもので、図１との対応部分に同一符号又は同一符号に添え字Ｘを付して示す。
【００３６】
図３の場合、ポンプ部４の基台部４ＢＸに設けられている吸入口４Ｃには、吸入手段の一部として、吸入パイプ１５が連結されている。
【００３７】
吸入パイプ１５は、可撓性合成樹脂材料で構成され、容器本体２の高さに相当する長さを有する。
【００３８】
この実施の形態の場合、容器本体２の下端面は底板部材２ＥＸ（空気抜きを有しない）によって閉塞され、これによりポンプ部４の基台部４ＢＸが容器本体２の上方開口２Ａに嵌め込まれたとき、吸入パイプ１５の下端開口が底板部材２ＥＸに当接する位置に位置決めされる。
【００３９】
かくしてポンプ部４の吐出操作部４Ｄを押込み操作することにより吐出口４Ａから一回分の化粧品料が吐出された後、吐出操作部４Ｄが復帰動作したとき、基台部４ＢＸは吸入パイプ１５を介して底板部材２ＥＸ近傍の最下部の化粧品料３を吸入パイプ１５、吸入口４Ｃを介して基台部４ＢＸに吸い上げる。
【００４０】
このとき容器本体２の内部の化粧品料３の圧力が吐出した量に相当する分だけ低下するのに対して、基台部４ＢＸは吐出操作部４Ｄの周囲の隙間を介して外気を吸い込ませることにより、容器本体２の上端部に空所を形成させる。
【００４１】
かくして容器本体２内の化粧品料３は、図４に示すように、吐出口４Ａから吐出された化粧品料３の分だけ、液面３Ａが低下して行き、当該液面３Ａが容器本体２に設けられている透視窓２Ｆを通して外側から目視することができる。
【００４２】
この実施の形態の場合、使用の度に少なくなって行く容器本体２内の化粧品料３の残量は、透視窓２Ｆに下側から下方に行くに従って「４０」、「３０」……のように小さくなって行く数字の目盛２ＧＸによって表記される。
【００４３】
図３の実施の形態によれば、ポンプ部４の吐出操作部４Ｄを操作することにより使用された化粧品料３の残量を、透視窓２Ｆを通して外部から目視できる液面３Ａによってユーザが確認できる。
【００４４】
かくするにつき、図１について上述したと同様に、容器本体２の周囲に押し加工された遮光部材１２Ａが、容器本体２に設けられている透視窓２Ｆの面積と比較して十分に広い値に選定されていることにより、透視窓２Ｆからの光による劣化を実質上無視できる程度に抑制することができると共に、ユーザに対して十分な変質防護策が施されているとする高い価値観をも与えながら、残量の確認を簡便になし得る。
【００４５】
（３）他の実施の形態
（３−１）上述の実施の形態においては、容器本体２が円筒形状の場合について述べたが、当該容器本体２の形状はこれに限らず、四角形、五角形などの角筒形状や、楕円形状にしても良い。
【００４６】
（３−２）上述の実施の形態においては、容器本体の筒状壁部材の構成を、射出成型により形成したプラスチック透明筒体部１１の外側に、遮光性部材の一部に透光性透視部材１２Ｂを配設してなる多層色転写箔１２を押し加工することにより一体化するようにしたが、これに代え、遮光性部材１２Ａの一部に透光性部材１２Ｂを配設してなる多層色転写箔１２の内側にプラスチック透明筒体部１１をインサート成型することにより一体化するようにしても、上述の場合と同様の効果を得ることができる。
【００４７】
（３−３）上述の実施の形態においては、透視窓２Ｆに目盛２Ｇ、２ＧＸを表記するようにしたが、当該目盛を表記せずに、ユーザが透視窓２Ｆを介して、直接に化粧品料３の残量を目視確認するようにしても良い。
【産業上の利用可能性】
【００４８】
本発明は化粧品料をポンプによって吐出させる化粧品容器に利用できる。
【符号の説明】
【００４９】
１……化粧品容器、２……容器本体、２Ａ……上方開口、２Ｂ……摺動底板部、２Ｃ……密封摺動部材、２Ｄ……内周面、２Ｅ、２ＥＸ……底板部材、２Ｆ……透視窓、２Ｇ、２ＧＸ……目盛、３……化粧品料、４……ポンプ部、４Ａ……吐出口、４Ｂ、４ＢＸ……基台部、４Ｃ……吸入口、４Ｄ……吐出操作部、５……キャップ部、１０……円筒状壁部材、１１……プラスチック透明筒体部、１２……多層色転写箔、１２Ａ……遮光部材、１２Ｂ……透視部材、１５……吸入パイプ。
【図１】
2013013657.tif 000003
【図２】
2013013657.tif 000004
【図３】
2013013657.tif 000005
【図４】
2013013657.tif 000006